(57)【要約】      （修正有）【課題】髭を剃る際の抵抗を少なくし、髭を滑らかに剃ることができ、かみそり負け等の肌の受傷を防止する安全かみそりのホルダーを提供する。【解決手段】かみそりホルダー単位体を、かみそり刃組立体に近い任意の位置より、水平に左又は右に、任意の角度に傾け、への字状、又は逆への字状の形態にする。【選択図】図１
0003163241.tif 000002
【実用新案登録請求の範囲】
【請求項１】
安全かみそりのホルダー単位体の、かみそり刃組立体との固定連結部、及び着脱式連結装置の部位を除く、かみそり刃組立体に近い任意の位置より、水平に左又は右に任意の角度に傾けて、ホルダー単位体の形態を、への字状、又は、逆への字状とした、安全かみそりのホルダー。
【請求項２】
かみそりホルダー単位体を、任意の位置より、かみそりホルダー単位体のかみそり刃組立体に連結する部分、以降分割連結部と称するものとする部分と、下部の握り部分、以降分割連結部と称するものとする部分とに分割した、請求項１に記載の、安全かみそりのホルダー。
【請求項３】
分割したかみそりホルダー単位体の分割連結部と分割握り部とを接続し、任意の角度に変更し、固定するための器具を装着した請求項１及び請求項２に記載の、安全かみそりのホルダー。
【請求項４】
かみそりホルダー単位体を、合欠継ぎに接続できる形で、分割連結部及び分割握り部と称する部分に分割し、その分割した両部分を接続し、任意の角度に変更し、固定するためにネジを使用した器具を装着した請求項１、請求項２及び請求項３に記載の、安全かみそりのホルダー。
【請求項５】
かみそりホルダー単位体を分割せずに、又ホルダーの形状を変更する器具を装着せず、ホルダー単位体を任意の位置より水平に斜めに傾けた形態の請求項１に記載の、安全かみそりのホルダー。
【考案の詳細な説明】
【技術分野】
【０００１】  本考案は、安全かみそりのホルダー単位体と、かみそり刃をセットしたかみそり刃組立体との連結方式が固定式連結型、又は着脱式連結型の安全かみそりのホルダー単位体に関するものである。
【背景技術】
【０００２】  安全かみそりで髭剃りをする際には、安全かみそりのホルダー部を垂直に引き下げ、引き上げるようにして髭を剃るので、かみそり刃に接する髭の全部はかみそり刃に対し直角に当たり、髭を切断するために、やや強めの力で剃っていくこととなり、そのため髭剃り時に痛みを感じたり、肌荒れが生じるおそれがあるという課題があり、この課題を解決するため、その多くはかみそり刃組立体にそれを求めている。
【考案の開示】
【考案が解決しようとする課題】
【０００３】  本考案は、髭を切断する際の抵抗を少なくし、髭剃り時の痛みを無くし、肌荒れ等の肌の受傷を防止するという問題の解決を、かみそり刃組立体側にそれを求めるのではなく、安全かみそりのホルダー単位体を、髭剃り時の単なる引き手の柄としての役目だけでなく、その形態を変えることにより本課題を解決しようとするものである。
【課題を解決するための手段】
【０００４】  安全かみそりのホルダー単位体の、かみそり刃組立体との固定連結部、及び着脱式の連結装置の部位を除く、かみそり刃組立体に近い任意の位置より、ホルダー単位体を、水平に左又は右に任意の角度で傾けて、その形態を、への字状、又は逆への字状に変更加工し形成した安全かみそりのホルダーにより課題を解決する。【０００５】  ホルダー単位体の形態を変更加工し形成したホルダーによる、本考案の課題を解決する手段として、主たる一つの態様として、握り部装着角度変更器付ホルダーを、別の態様として連結部装着角度変更器付ホルダーを、又、別の態様として角度変更一体型ホルダーの、３個の態様を提供し、握り部装着角度変更器付ホルダー及び連結部装着角度変更器付ホルダーに装着する角度を変更する器具としてネジを使用する器具を提供する。【０００６】  本考案の解決手段であるホルダー単位体の形態を変更加工し形成したホルダーの、主たる一つの態様としての握り部装着角度変更器付ホルダー及び、別の態様としての連結部装着角度変更器付ホルダーは、かみそり刃組立体に近い任意の位置よりホルダー単位体を２つに分割し、両部分を接続し、且つ角度の変更を可能とする角度変更器を任意の位置に装着した形態のホルダーであり、分割したホルダー単位体の握り部に属する部分、以降、分割握り部と称するものとする部分の表面に角度変更器を装着したのが握り部装着角度変更器付ホルダーであり、分割したホルダー単位体のかみそり刃組立体と連結する部分に属する部分、以降、分割連結部と称するものとする部分の表面に角度変更器を装着したのが連結部装着角度変更器付ホルダーである。【０００７】  分割握り部及び分割連結部に装着する角度変更器は、分割したホルダー単位体の両部分を接続し、任意の角度に変更し、固定する器具であり、接続し角度を変更し固定するための機能を、本考案ではネジによる事とし、ネジを使用した角度変更器を、ネジ式角度変更器と称するものとした。【０００８】  かみそりホルダー単位体を、２分割し、その分割した両部分を連結できるような形での好ましい接続方法は合欠継ぎにするのが好ましく、分割連結部と分割握り部とを合欠継ぎに接続できる形でホルダー単位体を形成分割し、その分割した両部分を接続し、任意の角度に変更し、固定するためにネジ式角度変更器を使用し、合欠継ぎに分割した上の部分が分割握り部であればその表面の、又、その上の部分が分割連結部であればその表面の任意に設定した変更支点位置のネジ穴に、ネジを挿入し、そして分割した合欠継ぎの下となる部分のネジ穴に当該ネジを差し込み、両部を接続し締め付けて合体する。【０００９】  ネジ式の角度変更器付ホルダーを装着した安全かみそりは、その角度を任意に左右に変更することにより、右利き、左利きの者でも利き手による滑らかな髭剃りができる。【００１０】  ネジ式の角度変更器付ホルダーを装着した安全かみそりは、その角度を０度に設定して、もみあげ等のカットにも対応できるが、但し、この場合は、従来の安全かみそりによる髭剃りと同じく髭を直角に剃るので本考案による課題の解決はできない。【００１１】  本考案の解決手段であるホルダー単位体の形態を変更加工し形成したホルダーの、別の態様である��度変更一体型ホルダーは、ホルダー単位体を２つに分割せず、また、ホルダー単位体の形態を変更する器具も装着せずに、ホルダー単位体のかみそり刃組立体に近い任意の位置より、握り部分を、水平に、任意に左に傾け、ホルダー単位体の形態を、への字状に変更加工形成し、または任意に右に傾け、ホルダー単位体の形態を、逆への字状に変更加工形成したホルダーである。【００１２】  握り部装着角度変更器付ホルダー、連結部装着角度変更器付ホルダー及び、角度変更一体型ホルダーの３態様共に、左又は右に傾ける任意の変更角度は３度から１０度までが好ましく、特に好ましい角度は５度である。【００１３】  ホルダー単位体を傾けるその支点及び始点位置は、３態様共に、該当ホルダーと固定連結または着脱式に連結接続したかみそり刃組立体のかみそり刃の刃先より３ｃｍ以内が好ましく、握り部及び、連結部装着角度変更器付ホルダーにあってはその角度を変更する支点の位置は１．５ｃｍが特に好ましく、角度変更一体型ホルダーにあってはその角度を変更する始点の位置は１ｃｍが特に好ましい。
【考案の効果】
【００１４】  ホルダー単位体の形態を変更加工し形成したホルダーの、任意の角度に変更した主たる一つの態様である握り部装着角度変更器付ホルダー及び、別の態様である連結部装着角度変更器付ホルダー、又は、別の態様である角度変更一体型ホルダーを装着した安全かみそりのホルダーの握り部を垂直に引き下げ又は引き上げて髭を剃ると、かみそり刃は髭に斜めに当たり、髭を剃る際の抵抗も少なく、切れ味も良く滑らかに髭をカットし、かみそり負け等の肌の受傷を防止できる効果がある。
【考案を実施するための最良の形態】
【００１５】  本考案の主たる態様の一つである握り部装着角度変更器付ホルダー、別の態様である連結部装着角度変更器付ホルダー、及び別の態様である角度変更一体型ホルダーと、かみそり刃組立体を、一体型に連結固定または、着脱式に連結接続した形態の安全かみそりである。【００１６】  握り部装着及び連結部装着の角度変更器付ホルダーを使用する際に、右利きの者は左に角度を変更し、左利きの者は右に角度を変更した形で使用するのが好ましい形態であり、角度変更一体型ホルダーを使用する際には、右利きの者はホルダーを、への字状に形成した左型を、左利きの者はホルダーを逆への字状に形成した右型を使用するのが好ましい形態である。
【実施例１】
【００１７】  以下、添付図面の図１から図６までに従って本考案の主たる態様の一つである握り部装着角度変更器付ホルダーの実施例を説明する。１はかみそり刃組立体に連結固定または着脱式に連結した、耐久性のプラスチック、鋼材等適宜素材にて形成した握り部装着角度変更型ホルダーの分割握り部、２は１と同様素材にて形成した握り部装着角度変更型ホルダーの分割連結部、３はかみそり刃組立体、４はかみそり組立体にセットされたかみそり刃、５は耐久性のプラスチック、鋼材等適宜素材にて形成したネジ式の角度変更器のボルトの一体成型カバー、６はそのボルトカバーの取手部分、７はネジ式の角度変更型ホルダーの角度変更の支点、８はその変更角度θ、９は角度表示目盛、１０はステンレス製のボルト、１０ａはボルトの位置を示し、１１はステンレス製のボルト用ワッシャー、１２はステンレス製のナット用ワッシャー、１３はステンレス製のナットでこのナットは回らないようにホルダー内部に埋め込んであり、当該ホルダーのネジ式の角度変更器の取手６を右に廻し、ボルトによる締め付けを緩め、１を任意に左又は右に動かし１の位置を決めたならば、取手６を左に廻し、締め付けて１の位置を固定し、当該握り部装着角度変更器付ホルダーを固定連結式又は着脱式連結式に装着した安全かみそりの分割握り部をその長柄方向に垂直に引き下げ引き上げて髭を剃る。
【実施例２】
【００１８】  次に添付図面の図７から図１０までに従って本考案の別の態様ある連結部装着角度変更器付ホルダーの実施例を説明するのであるが、当該ホルダーは、合欠継ぎによる接続方法を前述の握り部装着角度変更器付ホルダーを上下逆に形成した態様であり考案の効果は同じであり、当該ホルダーの実施例は、変更角度０度の場合の当該添付図面により説明する。１８はかみそり刃組立体に連結固定または着脱式連結した、耐久性のプラスチック、鋼材等適宜素材にて形成した連結部装着角度変更型ホルダーの分割握り部、１９は１８と同様素材にて形成した連結部装着角度変更型ホルダーの分割連結部、３はかみそり刃組立体、４はかみそり組立体にセットされたかみそり刃、５は耐久性のプラスチック、鋼材等適宜素材にて形成したネジ式の角度変更器のボルトのカバー、６はそのボルトカバーの取手、７はネジ式の角度変更型ホルダーの角度変更の支点、９は角度表示目盛、１０はステンレス製のボルト、１０ａはボルトの位置を示し、１１はステンレス製のボルト用ワッシャー、１２はステンレス製のナット用ワッシャー、１３はステンレス製のナットでこのナットは回らないようにホルダー内部に埋め込んであり、前述握り部装着角度変更器付ホルダーの実施例と同様に、当該ホルダーのネジ式の角度変更器の取手６を右に廻し、ボルトによる締め付けを緩め、１８を任意に左又は右に動かし１８の位置を決めたならば、取手６を左に廻し、締め付けて１８の位置を固定し、当該連結部装着角度変更器付ホルダーを固定連結式又は着脱式連結式に装着した安全かみそりの握り部をその長柄方向に垂直に引き下げ引き上げて髭を剃る。
【実施例３】
【００１９】  次に、添付図面の図１１から図１３までに従って本考案の別の態様である角度変更一体型ホルダーを装着した安全かみそりの実施例を添付図面により説明する。２０は耐久性のプラスチック、鋼材等適宜素材にて、への字状に形成した角度変更一体型ホルダーの左型であり、２３は耐久性のプラスチック、鋼材等適宜素材にて逆への字状に形成した、角度変更一体型ホルダーの右型であり、２１はホルダー単体部を、への字状又は逆への字状に傾ける始点位置、２２は傾け角度であり、かみそり刃４を装着したかみそり刃組立体３に、左型又は右型の角度変更一体型ホルダーを固定連結式又は着脱式連結式に装着した安全かみそりの握り柄をその長柄方向に垂直に引き下げ引き上げて髭を剃る。
【図面の簡単な説明】
【００２０】
【図１】握り部装着ネジ式の角度変更器付ホルダーを装着した安全かみそりのホルダーの握り部を左に角度変更した正面図である。
【図２】握り部装着ネジ式の角度変更器付ホルダーを装着した安全かみそりのホルダーの握り部を右に角度変更した正面図である。
【図３】握り部装着ネジ式の角度変更器付ホルダーを装着した安全かみそりのホルダーの握り部の変更角度が０度の正面図であり、切断線１４Ａ−１４Ａ、１５Ｂ−１５Ｂ、１６Ｃ−１６Ｃ線を表示した図面、及び角度変更器カバーを被せたボルトの位置を示した図である。
【図４】図３の左側面図であり、当図を左右反転したのが右側面図である。
【図５】図３の背面図である。
【図６】図３、図４及び図５の図面による、切断線１４Ａ−１４Ａ線から１５Ｂ−１５Ｂ線の間の、切断線１６Ｃ−１６Ｃ線の垂直断面図の拡大図である。
【図７】連結部装着ネジ式の角度変更器付ホルダーを装着した安全かみそりのホルダーの握り部の変更角度が０度の正面図であり、切断線１４Ａ−１４Ａ、１５Ｂ−１５Ｂ、１７Ｄ−１７Ｄ線を表示した図面、及び角度変更器カバーを被せたボルトの位置を示した図面である。
【図８】図７の左側面図であり、右側面図は当図を左右反転した図である。
【図９】図７の背面図である。
【図１０】図７、図８及び図９による切断線１４Ａ−１４Ａ線から１５Ｂ−１５Ｂ線の間の、切断線１７Ｄ−１７Ｄ線ついての垂直断面図の拡大図である。
【図１１】角度変更一体型ホルダーのホルダーを左に傾けた左型の正面図である。
【図１２】角度変更一体型ホルダーのホルダーを右に傾けた右型の正面図である。
【図１３】図１１の左側面図であり、当図を左右反転したのが、図１２の右側面図である。
【図１４】図１１の右側面図であり、当図を左右反転したのが、図１２の左側面図である。
【符号の説明】
【００２１】１  握り部装着ネジ式の角度変更器付ホルダーの分割握り部
２  握り部装着ネジ式の角度変更器付ホルダーの分割連結部
３  かみそり刃をセットしたかみそり刃組立体
４  かみそり刃
５  ネジ式角度変更器のネジのカバー
６  ネジ式角度変更器カバー取手部
７  傾け支点
８  傾け角度θ
９  傾け角度表示目盛
１０  ボルト
１０ａ  ボルト位置を示した線
１１  ボルト用ワッシャー
１２  ナット用ワッシャー
１３  ナット
１４Ａ  ネジ式の角度変更器周辺部のホルダー正面より背面に至る切断線Ａ
１５Ｂ  ネジ式の角度変更器周辺部のホルダー正面より背面に至る切断線Ｂ
１６Ｃ  握り部装着ネジ式の角度変更器付ホルダーの角度変更器周辺の中心部の中心切断線Ｃ
１７Ｄ  連結部装着ネジ式角度変更器付ホルダーの角度変更器周辺の中心部の中心切断線Ｄ
１８  連結部装着ネジ式の角度変更器付ホルダーの分割握り部
１９  連結部装着ネジ式の角度変更器付ホルダーの分割連結部
２０  角度変更一体型の左型のホルダー
２１  角度変更一体型ホルダーの傾け始点位置
２２  角度変更一体型ホルダーの傾け角度θ
２３  角度変更一体型の右型のホルダー
【図１】
0003163241.tif 000003
【図２】
0003163241.tif 000004
【図３】
0003163241.tif 000005
【図４】
0003163241.tif 000006
【図５】
0003163241.tif 000007
【図６】
0003163241.tif 000008
【図７】
0003163241.tif 000009
【図８】
0003163241.tif 000010
【図９】
0003163241.tif 000011
【図１０】
0003163241.tif 000012
【図１１】
0003163241.tif 000013
【図１２】
0003163241.tif 000014
【図１３】
0003163241.tif 000015
【図１４】
0003163241.tif 000016